(57)【要約】      （修正有）【課題】ワイヤロープのアイ部に簡易に且つ迅速に装着することができ、現場等における作業効率の向上を図るシンブルを提供する。【解決手段】シンブルＡは、第１分割体１ａと第２分割体１ｂとが相互に連結された環状のシンブル本体１と、第１分割体１ａと前記第２分割体１ｂとを固定するための固定具２とを備えている。【選択図】図１
0003162668.tif 000002
【実用新案登録請求の範囲】
【請求項１】
ワイヤロープの端部に形成されたアイ部内に装着されるシンブルであって、
第１分割体と第２分割体とが相互に連結された環状のシンブル本体と、
前記第１分割体と前記第２分割体とを固定するための固定具とを備えてなることを特徴とするワイヤロープ用シンブル。
【請求項２】
前記第１分割体及び前記第２分割体の両端部には、表裏方向に相互に重合させた状態で連結される突片を夫々備えてなる請求項１記載のワイヤロープ用シンブル。
【請求項３】
前記第１分割体及び第２分割体の外周面に、前記ワイヤロープのアイ部に嵌合する凹溝が設けられてなる請求項１又は２記載のワイヤロープ用シンブル。
【請求項４】
前記固定具は、前記第１分割体及び第２分割体の両端部に夫々形成された通孔に挿通されるネジ体からなり、且つ該ネジ体が後に挿通される前記第１分割体又は第２分割体の少なくとも何れか一方の通孔には、前記ネジ体に螺合する雌ネジ部が形成されてなる請求項１〜３の何れか一つに記載のワイヤロープ用シンブル。
【考案の詳細な説明】
【技術分野】
【０００１】
本考案は、ワイヤロープの端部に形成されたアイ部を保護するために装着されるワイヤロープ用シンブルに関するものである。
【背景技術】
【０００２】
一般に、この種のワイヤロープに例えばフック、リング、シャックル等の金属金具を接続する場合には、ワイヤロープの一端部又は両端部にリング状のアイ部が形成され、これに金属金具が接続される。このアイ部は、線材を編み込んで形成される場合（アイスプライス加工）の他、スリーブをワイヤロープに通してプレス加工により形成される場合（ロック加工）等がある。また、アイ部には、使用時における不当な変形を防止すると共に、ワイヤロープを摩耗等から保護するために、必要に応じて略Ｕの字状のシンブルが取付けられる場合もある。
【０００３】
従来、このようなワイヤロープ用シンブルとしては、例えば特許文献１に示すようなものが知られている。すなわち、この従来のシンブルは、鋼材が平面略Ｕの字状にプレス加工されたものであり、その外周部にはワイヤロープを装着可能な凹溝が形成されている。このシンブルは、工場等におけるアイ部の形成時に予め装着される場合もあるが、現場等において必要に応じて装着される場合が多い。その際には、先ずシンブルの弾性力に抗して、その両端部が相互に接近するように押圧した状態で、シンブルの凹溝にワイヤロープを嵌合するように装着される。
【先行技術文献】
【特許文献】
【０００４】
【特許文献１】特開２００４−２３６４９１号公報
【考案の概要】
【考案が解決しようとする課題】
【０００５】
しかしながら、上記のような現場におけるシンブルの装着作業は非常に厄介なものであるために、作業者にかかる負担は極めて大きく、一連の現場作業を煩雑化せしめる一因にもなるという問題点を有していたのである。
【０００６】
本考案は、かかる点に鑑みてなされたものであり、その目的とするところは、ワイヤロープのアイ部に簡易に且つ迅速に装着することのできるシンブルを提供することにより、現場等における作業効率の向上を図ることにある。
【課題を解決するための手段】
【０００７】
本考案に係るワイヤロープ用シンブルは、ワイヤロープの端部に形成されたアイ部内に装着されるシンブルであって、第１分割体と第２分割体とが相互に連結された環状のシンブル本体と、前記第１分割体と前記第２分割体とを固定するための固定具とを備えてなることを特徴としている。
【０００８】
これによれば、先ず第１分割体と第２分割体とを連結するようにして、環状のシンブル本体をワイヤロープのアイ部内に装着する。このようにシンブル本体を２分割することにより、アイ部内への装着が極めて容易に行うことができる。その後、固定具によって第１分割体と第２分割体とを固定する。かかる一連のシンブル装着作業は、作業者に不当な負担をかけることなく非常に簡易に行えるために、現場作業の効率化を図ることができる。このようなシンブルをアイ部に装着することにより、ワイヤロープ使用時におけるアイ部の不当な変形が防止されると共に、その保護が良好に図られることになる。
【０００９】
また、シンブルは例えば実際の現場等において、その必要に応じてワイヤロープのアイ部に装着することができるという利便性がある。
【００１０】
また、前記第１分割体及び前記第２分割体の両端部には、表裏方向に相互に重合させた状態で連結される突片を夫々備えさせても構わない。
【００１１】
これによれば、表裏何れかの方向から第１分割体の突片と第２分割体の突片とを重合させることにより両突片を連結させることができるために、連結作業が無理なく簡易に行えることになる。
【００１２】
前記第１分割体及び第２分割体の外周面に、前記ワイヤロープのアイ部に嵌合する凹溝を設けるようにしてもよい。
【００１３】
これによると、ワイヤロープが第１分割体及び第２分割体の凹溝に嵌合された状態で固定されるために、シンブル本体を確実に且つ強固にアイ部に装着することができる。
【００１４】
また、前記固定具は、前記第１分割体及び第２分割体の両端部に夫々形成された通孔に挿通されるネジ体からなり、且つ該ネジ体が後に挿通される前記第１分割体又は第２分割体の少なくとも何れか一方の通孔には、前記ネジ体に螺合する雌ネジ部が形成されていても構わない。
【００１５】
これによると、例えば固定具たるネジ体は、第１分割体の通孔に挿通された後、第２分割体の通孔に形成された雌ネジ部に螺合されて、両分割体が固定されることになる。このような固定作業は、特別な工具や冶具等を使用することなく、非常に簡単に行うことができる。なお、ネジ体が第２分割体の通孔側から先に挿通される場合は、少なくとも第１分割体の通孔にネジ体が螺合可能な雌ネジ部が形成されることになる。
【００１６】
さらに、本考案に係るワイヤロープ用シンブルは、全体が非常に簡易な構成からなるために、その製作も容易に且つ安価に行える。
【考案の効果】
【００１７】
本考案によれば、ワイヤロープのアイ部に簡易に且つ迅速に装着することのできるシンブルを得ることが可能となって、現場等における作業効率の向上を図ることができる。
【図面の簡単な説明】
【００１８】
【図１】本考案の一実施形態に係るワイヤロープ用シンブルを示し、（ａ）は正面図で、（ｂ）は側面図である。
【図２】（ａ）及び（ｂ）はシンブルの断面図である。
【図３】シンブルの斜視図である。
【図４】シンブルを分解した状態を示し、（ａ）は正面図で、（ｂ）は側面図である。
【図５】シンブルを装着したワイヤロープを示し、（ａ）は正面図で、（ｂ）は側面図である。
【図６】（ａ）は図５（ａ）の断面図で、（ｂ）は図５（ｂ）の断面図である。
【考案を実施するための最良の形態】
【００１９】
以下、本考案に係るワイヤロープ用シンブルの一実施形態について、図面に従って説明する。ワイヤロープ用シンブルＡは、図１〜図３に示すように、略半割状の第１分割体１ａと第２分割体１ｂとが上下に連結される環状のシンブル本体１と、両分割体１ａ、１ｂの端部を相互に固定するための固定具２、２とを備えている。第１分割体１ａ及び第２分割体１ｂは、例えば鋳造により製作されるが、その他切削加工等により製作することも可能である。また、本実施形態における固定具２は、十字孔付きネジからなっている。
【００２０】
第１分割体１ａの外周面は、ワイヤロープＷが嵌合可能な円弧状の凹溝３を有している。また、第２分割体１ｂの外周面は、底部４を除いて円弧状の凹溝５が設けられている。
【００２１】
第１分割体１ａの両端部は突片６、６を有しており、その略中央部には固定具２を挿通可能な通孔７が形成されている。第２分割体１ｂの両端部は、第１分割体１ａの各突片６、６と表裏方向（肉厚方向）に相互に重合した状態で夫々連結される突片８、８を有しており、その略中央部には固定具２を挿通可能な通孔９が形成され、通孔９は固定具２が螺合可能な雌ネジ部を有している。なお、各突片６、８の肉厚ｔは、図４（ｂ）に示すように、各分割体１ａ、１ｂの肉厚Ｔの略１／２の寸法に設定されている。
【００２２】
本実施形態に係るワイヤロープ用シンブルＡは、以上のような構成からなっている。次に、シンブルＡを予め形成されたワイヤロープＷのアイ部１０に装着する場合について説明する。なお、アイ部１０は図５及び図６に示すように、スリーブ２０を使用したロック加工により製作されている。
【００２３】
先ずシンブルＡを、図４に示すように第１分割体１ａと第２分割体１ｂとを分割した状態で、第１分割体１ａをワイヤロープＷのアイ部１０内に挿入し、凹溝３をアイ部１０の先端側内周部に嵌合する。次に、第２分割体１ｂを同様にしてアイ部１０内に挿入し、凹溝３をアイ部１０の基端側内周部に嵌合する。そして、第１分割体１ａの突片６の通孔７と第２分割体１ｂの突片８の通孔９を一致させる。この場合、表裏何れかの方向から第１分割体１ａの突片６と第２分割体１ｂの突片８とを重合させることにより両突片６、８を連結させることができるために、連結作業が無理なく簡易に行える。この状態で、固定具２を第１分割体１ａの突片６の通孔７に挿入し、さらに第２分割体１ｂの突片８の通孔９の雌ネジ部に螺合する。これにより、図５及び図６に示すように、シンブルＡをワイヤロープＷのアイ部１０に装着することができる。
【００２４】
かかる一連のシンブル装着作業は、特殊な冶具や工具等を別途使用する必要はなく、極めて簡易に行うことができる。このため、作業者に不当な負担をかけることなく、現場作業の効率化を図ることができる。
【００２５】
また、本実施形態におけるシンブルＡは、実際の現場等において、その必要に応じてワイヤロープＷのアイ部１０に装着することができるという利便性がある。
【００２６】
また、本実施形態に係るシンブルＡは、全体が非常に簡易な構成からなるために、その製作も容易に且つ安価に行えるという実用的な利点も有している。
【００２７】
このようにして製作されたワイヤロープＷは、シンブルＡが装着されたアイ部１０に例えばフック、リング、シャックル等の金属金具を接続して使用される。また、アイ部１０はシンブルＡにより、不当な変形の発生が抑制される共に、適切に保護される。
【００２８】
なお、上記実施形態においては、固定具２をネジ体により構成したために、第１分割体１ａと第２分割体１ｂとを簡単に固定できるという利点が得られたが、本考案は決してこれに限定されず、例えば第２分割体１ｂの通孔９に形成した雌ネジ部に代えて、ネジ体に螺合可能なナットを採用してもよい。また、固定具２はリベット等であっても構わない。
【００２９】
また、上記実施形態では、固定具２であるネジ体を第１分割体１ａの通孔７から先に挿通するようにしたために、ネジ体が後に挿通される第２分割体１ｂの通孔９に雌ネジ部を形成したが、ネジ体を第２分割体１ｂの通孔９から先に挿通するように構成した場合には、第１分割体１ａの通孔７に雌ネジ部が形成されることになる。但し、両通孔７、９に雌ネジ部を形成するように構成してもよい。
【００３０】
また、本考案に係るシンブルＡは、上記実施形態のようにロック加工により製作されたアイ部１０だけではなく、線材を編み込むアイスプライス加工により製作されたアイ部１０についても適用可能であることは言う迄もない。
【００３１】
さらに、上記実施形態では、上下に第１分割体１ａと第２分割体１ｂとを配して連結するように構成したが、例えば第１分割体１ａと第２分割体１ｂとを左右に配して両者を連結するように構成してもよい。
【００３２】
その他、第１分割体１ａ及び第２分割体１ｂの形状等や突片６、８の具体的な構成も、本考案が意図する範囲内において任意に設計変更自在である。
【符号の説明】
【００３３】
１    シンブル本体
１ａ  第１分割体
１ｂ  第２分割体
２    固定具（ネジ体）
３    凹溝
５    凹溝
６    突片
７    通孔
８    突片
９    通孔
１０    アイ部
Ａ    シンブル
Ｗ    ワイヤロープ
【図１】
0003162668.tif 000003
【図２】
0003162668.tif 000004
【図３】
0003162668.tif 000005
【図４】
0003162668.tif 000006
【図５】
0003162668.tif 000007
【図６】
0003162668.tif 000008